(57)【要約】      （修正有）【課題】コンクリート床板に開口部を設け、該開口部に開閉する蓋を支持する受け枠に於ける受け枠取り付け工事を簡略化するものである。更に、ジャッキやスペーサーや継ぎ足す鉄筋も必要としなくなり、足場の悪い現場に移動する際の手荷物の簡略化を可能にするものである。【解決手段】コンクリート床板に開口部を設け、該開口部に開閉する蓋を支持する受け枠１に於いて、受け枠の外周に複数個のナット２を平面に直交するように取り付ける。該ナットに全ネジボルト３を螺合する。受け枠の外周に取り付けられたナットに螺合された全ネジボルトが下方に突き出していることにより、それらが足となり受け枠を自立させる。上記足となった全ネジボルトを回転させることにより、全ネジボルトに対してナットの付いた受け枠が上下することにより、受け枠の高さを任意に調整することができる。【選択図】図１
2006299769.tif 000002
【特許請求の範囲】
【請求項１】
コンクリート床板に開口部を設け、該開口部に開閉する蓋を支持する受け枠を固定する構成に於いて、該受け枠の固定方法として該受け枠外周に複数個のナットを平面に直交するように固定取り付けし、該ナットに全ネジでなるボルトを螺合し、高さ調整自在とする受け枠。
【発明の詳細な説明】
【発明の詳細な説明】
【産業上の利用分野】
【０００１】  建造物のコンクリート床板開口部における開閉する蓋を支持する受け枠を取り付け時に高さ自在とし、位置決定を簡略化し、固定を容易とするものである。
【背景技術】
【０００２】  捨てコンに受け枠を設置する状況において、受け枠の取り付け位置を出し、溶接で固定している構成が有る。【０００３】  捨てコンより上方に浮かせて受け枠を取り付けることより、捨てコンと受け枠の間に空間ができる。【０００４】  したがって、受け枠の下にジャッキを置き、そのジャッキを上下して受け枠の高さを調整する。【０００５】  しかし、取り付け状況によりジャッキを入れ込む高さが無い時もあり、その場合はスペーサーを入れる。【０００６】  受け枠の幅が狭いと四方全てにジャッキを入れることができないこともある。その場合は受け枠短辺の２つの角の下に１つのジャッキを置くことになり、それら２つの角の高さを同時に上下することとなる。【０００７】  その場合、捨てコンの表面の状況によりジャッキが水平を保てず、受け枠が傾き、２つの角の高さが同時に所定の位置までこないことがある。【０００８】  その時、上記１つのジャッキが支持する受け枠の片側の角とジャッキの間にスペーサーを挟みこみ、この側をスペーサーで、もう片方をジャッキで上下し、個々の高さ決定を行っている。【０００９】  以上の動作を受け枠の他方の短辺で行うことにより、受け枠の固定位置を決定している。【００１０】  次に、固定方法であるが、受け枠の下に捨てコンより鉄筋が露呈しているときは、それを使用し、無ければオールアンカーを捨てコンに打ち込む。【００１１】  オールアンカーを打ち込む位置は受け枠の各辺の下に間隔をあけて打ち込む。【００１２】  受け枠の外周に付いている線材からなるアンカーとオールアンカーを溶接し受け枠を固定する。【００１３】  その際、受け枠の取り付け位置が高いと、受け枠のアンカーとオールアンカーの間に隙間ができる。【００１４】  上記隙間が広いとアンカーとオールアンカーが届かず、直接溶接することができなくなり、その隙間に合う長さの鉄筋を継ぎ足し溶接固定するものである。
【発明が解決しようとする課題】
【００１５】  受け枠の取り付け位置決定に於いて、従来は受け枠を支えるためにジャッキやスペーサーを必要としている。
【００１６】  １つの受け枠を支持するのに通常受け枠の四隅の下に１つずつ計４つのジャッキを使用し、幅が狭い受け枠の時等ジャッキを四隅に入れられない場合、それぞれの短辺の下に１つずつ計２つのジャッキを使用する。
【００１７】  受け枠のアンカーと捨てコンに打ち込まれたオールアンカーの隙間に継ぎ足す鉄筋であるが、その現場の状況により隙間が一定でなく、大抵はその場で長さを切断し、調整しながら使用するものである。
【００１８】  更に、ジャッキやスペーサーを受け枠の下に置くことにより、受け枠の安定性が下がり、受け枠１つの角の位置がずれたとしても、そのずれは受け枠全体に及び、最初から全ての位置合わせを行わなければならない。上記多岐にわたる工程を行わなければならない、大変繁雑なものである。
【課題を解決するための手段】
【００１９】  コンクリート床板に開口部を設け、該開口部に開閉する蓋を支持する受け枠の外周に複数個のナットを平面に直交するように取り付ける。
【００２０】  受け枠の長さや強度、もしくは使用状況により、ナットの数を増設し、取り付ける全ネジボルトの数を増やす。
【００２１】  該ナットに全ネジボルトを通し、受け枠を自立させる足とする。
【作用】
【００２２】  本発明の作用を説明すると、受け枠の外周に取り付けられたナットに螺合された全ネジボルトが下方に突き出し受け枠を自立させる足となる。
【００２３】  上記状況で自立した受け枠であるが、足となった全ネジボルトを回転させることにより全ネジボルトに対してナットの付いた受け枠が上下することにより、受け枠の各位置の高さを任意に調整できる。
【実施例】
【００２４】  本発明の実施例を図面に基づいて説明すると、図１に於いて、１は受け枠、２はナット、３は全ネジボルト、図２に於いて、１は受け枠、２はナット、３は全ネジボルト、４はオールアンカー、５は捨てコン、図３に於いて、１は受け枠、２はナット、３は全ネジボルト、４はオールアンカー、５は捨てコン、８は蓋、９はコンクリート。図４に於いて、１は受け枠、４はオールアンカー、５は捨てコン、６は従来のアンカー、７は鉄筋である。
【発明の効果】
【００２５】  以上の如く本発明によれば、各位置のナットに通された全ネジボルトを回転させることにより受け枠の各ナット位置の高さ調整を個別に容易に行うことができる。
【００２６】  複数本の全ネジボルトにより自立した受け枠は、従来のジャッキ等使用時に比べ安定性の面で遥かに向上し、作業効率を上げるものである。
【００２７】  更に、ナット、全ネジボルト共に金属である場合、全ネジボルトを回転させ受け枠の高さを決めた状態でナットと全ネジボルトの接点を溶接することにより、受け枠と足と成った全ネジボルトを強固に固定することができる。
【００２８】  更に、受け枠を捨てコンに固定する場合、捨てコンより露呈する鉄筋や捨てコンに打ち込んだオールアンカーと上記足となった全ネジボルトを溶接接合することで容易に受け枠と捨てコンを固定することができる。
【００２９】  受け枠外周に複数個取り付けるが一つの取り付け場所につきナットと全ネジボルト一組というコスト的に大変魅力的なものである。
【００３０】  更に、ジャッキやスペーサーや継ぎ足す鉄筋も必要としなくなり、足場の悪い現場に移動する際の手荷物の簡略化を可能にするものである。
【図面の簡単な説明】
【図１】本発明を実施した受け枠の斜視図。
【図２】本発明を実施した受け枠の取り付け図。
【図３】本発明を実施した受け枠の施工後。
【図４】従来の受け枠の取り付け図。
【符号の説明】
１、受け枠
２、ナット
３、全ネジボルト
４、オールアンカー
５、捨てコン
６、線材からなるアンカー
７、鉄筋
８、蓋
９、コンクリート
【図１】
2006299769.tif 000003
【図２】
2006299769.tif 000004
【図３】
2006299769.tif 000005
【図４】
2006299769.tif 000006